(57)【特許請求の範囲】
【請求項１】
撮像装置に対して固定される固定筒と、前記固定筒に対して光軸方向に移動可能となっている保持枠と、前記保持枠により保持されて移動する光学系とを有するレンズ鏡筒であって、
前記固定筒は、第１固定筒部材と、前記第１固定筒部材と同軸に配置された第２固定筒部材とを有し、
前記第１固定筒部材は、光軸直交方向に延在し且つ前記第２固定筒部材の端部に連結される地板部を有し、
前記第２固定筒部材の端部には、光軸方向に突出した第１ボスと第２ボスとが形成され、
前記地板部には前記第１ボスに嵌合する第１穴と、前記第２ボスに係合する長孔である第２穴とが形成されており、前記第１ボスと前記第１穴とが嵌合することで、前記第１固定筒部材と前記第２固定筒部材との光軸直交方向の位置決めが行われ、前記第２ボスと前記第２穴とが係合することで、前記第１固定筒部材と前記第２固定筒部材との相対回転方向の位置決めが行われるようになっており、
前記第1固定筒部材と前記第2固定筒部材はねじ結合されるようになっており、
前記地板部に設けた保持筒部の外周面もしくは、第２固定筒部材の端部内径部は、複数の突起を形成しており、前記複数の突起は、光軸直交方向に対向する前記第２固定筒部材の端部内径部もしくは、前記地板部に当接しており、前記第２固定筒部材の端部内周の半径をＲとしたときに、前記突起の周方向の間隔は１．４Ｒ以下であり、
周方向に並んだ前記複数の突起は、ねじ結合のために設けられた肉厚部との干渉を回避するために、一部が間引かれていることを特徴とするレンズ鏡筒。
【請求項２】
前記第２固定筒部材における前記地板部に連結される端部と反対側の端部には、光軸直交方向に延在したフランジ部が形成されていることを特徴とする請求項１に記載のレンズ鏡筒。
【請求項３】
前記第１固定筒部材と、前記第２固定筒部材と、前記地板部は、樹脂製であることを特徴とする請求項１又は２に記載のレンズ鏡筒。
【請求項４】
前記固定筒の外径は５０ｍｍ以上であることを特徴とする請求項１〜３のいずれかに記載のレンズ鏡筒。
【請求項５】
請求項１〜４のいずれかに記載のレンズ鏡筒を有することを特徴とする撮像装置。
【発明の詳細な説明】
【技術分野】
【０００１】
本発明は、レンズ鏡筒及び撮像装置に関し、特に耐衝撃性を有するレンズ鏡筒及びそれを用いた撮像装置に関する。
【背景技術】
【０００２】
撮像装置であるデジタルスチルカメラ等に用いられるレンズ鏡筒は、一般的に複数のレンズ群をそれぞれ保持する固定筒や回転筒など複数の筒部材からなり、これら複数の筒部材は、それぞれがカム結合等によって互いに連結された状態となっている。このような構成により、各筒部材は、それぞれが光軸方向に適宜相対移動し、ズーム動作（変倍動作）等を実現している。
【０００３】
このようなレンズ鏡筒を有するデジタルスチルカメラは、ユーザーがポケットや鞄に携帯し、撮像を所望する際に取り出して使用されることが多い。ここで、撮像を所望するユーザーが、デジタルスチルカメラを取り出したり或いは撮像している際に、誤って床面等に落下させてしまう可能性がある。そこで、落下衝撃に対して耐衝撃性を備えたレンズ鏡筒が望まれている。
【０００４】
落下衝撃による問題の一例として、カム溝が設けられた筒とカムピンで係合した移動枠とが、お互いに離れる方向にゆがんでしまい、これによりカム溝からのカムピンの脱落を招く恐れがある。これに対し特許文献１には、筒に設けられたカム溝にフラット部を設け、それに係合しているカムピンにもフラット部を設け、これによりカムピンとカム溝が離れる方向の力が発生しにくくし、沈胴時に衝撃を受けたときにカムピンがカム溝から脱落することを抑制したレンズ鏡筒が開示されている。
【先行技術文献】
【特許文献】
【０００５】
【特許文献１】特開２０１４−１４２６６６号公報
【発明の概要】
【発明が解決しようとする課題】
【０００６】
ところで、特許文献１のレンズ鏡筒では沈胴時における落下衝撃時にしか対応できず、またカムピンがカム溝から脱落してしまうという問題以外にも、移動枠の位置決め基準となる固定筒が落下衝撃によりゆがんでしまい、それに伴って、それぞれの移動枠の間隔がズレたり、偏芯を起こしたりし、光学性能の劣化を招く恐れがある。特にレンズの高性能化に伴いレンズ口径が大きくなり、レンズ鏡筒自体が重くなったときに、かかる不具合が顕著に生じる傾向がある。これに対し、固定筒の肉厚を増大させれば剛性が増大するので、耐衝撃性を向上させることができるという考えもある。しかしながら、固定筒の肉厚を単に増大させるのみでは、レンズ口径が変わらないのにも関わらず、レンズ鏡筒が肥大化してしまい、更に重くなるという新たな問題が生じる。
【０００７】
本発明は、上述の課題を解決することを目的としたものであり、小型でありながらも、耐衝撃性を確保したレンズ鏡筒及びそれを用いた撮像装置を提供することを目的とする。
【課題を解決するための手段】
【０００９】
尚、「地板部」は、第１固定筒部材と一体でも良いし、或いは別体で作成して第１固定筒部材に組み付けることで、アセンブリとして用いられるものでも良い。
【００１０】
請求項１に記載のレンズ鏡筒は、撮像装置に対して固定される固定筒と、前記固定筒に対して光軸方向に移動可能となっている保持枠と、前記保持枠により保持されて移動する光学系とを有するレンズ鏡筒であって、
前記固定筒は、第１固定筒部材と、前記第１固定筒部材と同軸に配置された第２固定筒部材とを有し、
前記第１固定筒部材は、光軸直交方向に延在し且つ前記第２固定筒部材の端部に連結される地板部を有し、
前記第２固定筒部材の端部には、光軸方向に突出した第１ボスと第２ボスとが形成され、
前記地板部には前記第１ボスに嵌合する第１穴と、前記第２ボスに係合する長孔である第２穴とが形成されており、前記第１ボスと前記第１穴とが嵌合することで、前記第１固定筒部材と前記第２固定筒部材との光軸直交方向の位置決めが行われ、前記第２ボスと前記第２穴とが係合することで、前記第１固定筒部材と前記第２固定筒部材との相対回転方向の位置決めが行われるようになっており、
前記第1固定筒部材と前記第2固定筒部材はねじ結合されるようになっており、
前記地板部に設けた保持筒部の外周面もしくは、第２固定筒部材の端部内径部は、複数の突起を形成しており、前記複数の突起は、光軸直交方向に対向する前記第２固定筒部材の端部内径部もしくは、前記地板部に当接しており、前記第２固定筒部材の端部内周の半径をＲとしたときに、前記突起の周方向の間隔は１．４Ｒ以下であり、
周方向に並んだ前記複数の突起は、ねじ結合のために設けられた肉厚部との干渉を回避するために、一部が間引かれていることを特徴とする。
【００１１】
本発明によれば、前記地板部に設けた保持筒部の外周面もしくは、第２固定筒部材の端部内径部が、複数の突起を形成しており、前記複数の突起が、光軸直交方向に対向する前記第２固定筒部材の端部内径部もしくは、前記地板部に当接しているので、前記第２固定筒部材と前記地板部との連結強度が高まり、前記地板部を介して前記第１固定筒部材に対して前記第２固定筒部材を確実に固定することが出来、これにより前記固定筒の外径を増大させることなく、その剛性を高めることができるから、耐衝撃性を向上させることができる。又、前記地板部や前記第２固定筒部材の成形精度を考慮すると、前記第２固定筒部材の端部内径部と前記地板部とを全周で当接させる場合よりも、前記突起のみを当接させる場合の方が生産性が高いといえる。特に、前記第２固定筒部材の端部内周の半径をＲとしたときに、前記突起の周方向の間隔を１．４Ｒ以下とすると、前記突起を周方向に沿って５個以上設けることができるから、これにより前記第２固定筒部材と前記地板部との連結強度を更に高めることができる。
【００１２】
請求項２に記載のレンズ鏡筒は、請求項１に記載の発明において、前記第２固定筒部材における前記地板部に連結される端部と反対側の端部には、光軸直交方向に延在したフランジ部が形成されていることを特徴とする。
【００１３】
一般的に筒部材の強度は、光軸直交方向に延在したフランジ部を設けることで向上する。ここで、前記第１固定筒部材は、フランジ部と同様な構成である前記地板部を設けているので、前記地板部側で剛性が高くなっている。一方、前記第２固定筒部材は、例えば被写体側の端部に前記フランジ部を形成することで、かかる端部側での剛性が高くなるのに対し、撮像素子側の端部では、スペース上の問題からフランジ部を設けることが困難であり、そのため剛性が低下しやすくなる。そこで、前記地板部と、フランジ部を設けていない前記第２固定筒部材の端部とを連結することで、前記第２固定筒部材の剛性を高めることが出来るのである。
【００１４】
請求項３に記載のレンズ鏡筒は、請求項１又は２に記載の発明において、前記第１固定筒部材と、前記第２固定筒部材と、前記地板部は、樹脂製であることを特徴とする。
【００１５】
前記第１固定筒部材と、前記第２固定筒部材と、前記地板部のいずれか１つ以上を金属製とすることもできるが、樹脂製にすると好ましい。特に、前記地板部に設けた保持筒部の外周面もしくは、第２固定筒部材の端部内径部に突起を設ける場合、突起を設けた方を樹脂製にすることで、部品の精度を出しやすくなり、さらには安価に大量生産できる。
【００１６】
請求項４に記載のレンズ鏡筒は、請求項１〜３のいずれかに記載の発明において、前記固定筒の外径は５０ｍｍ以上であることを特徴とする。
【００１７】
本発明は、特に前記固定筒の外径が５０ｍｍ以上である比較的大型のレンズ鏡筒において効果がある。
【００１８】
請求項５に記載の撮像装置は、請求項１〜４のいずれかに記載のレンズ鏡筒を有することを特徴とする。
【発明の効果】
【００１９】
本発明によれば、小型でありながらも、耐衝撃性を確保したレンズ鏡筒及びそれを用いた撮像装置を提供することができる。
【図面の簡単な説明】
【００２０】
【図１】本実施の形態に係るレンズ鏡筒を備えた撮像装置の一例であるデジタルスチルカメラの外観図である。
【図２】デジタルスチルカメラ１に取り付けられる本実施の形態にかかるレンズ鏡筒１００の斜視図である。
【図３】レンズ鏡筒１００を光軸方向物体側から見た正面図である。
【図４】図３のレンズ鏡筒１００をIV-IV線で切断して矢印方向に見た図である。
【図５】外側固定筒１１０と内側固定筒１４０とを地板部２１０を介して連結した固定筒を光軸直交方向から見た図である。
【図６】図５の構成を矢印VI方向から見た図である。
【図７】図５の構成をVII-VII線で切断して矢印方向に見た図である。
【図８】本実施の形態の効果を説明するための図である。
【図９】別な実施の形態にかかる図７と同様な断面図である。
【発明を実施するための形態】
【００２１】
以下、本発明の実施の形態を、図面を参照して説明する。図１は、本実施の形態に係るレンズ鏡筒を備えた撮像装置の一例であるデジタルスチルカメラの外観図である。図１（ａ）は、デジタルスチルカメラ１の前面図であり、図１（ｂ）は背面図である。
【００２２】
図１に示す様に、デジタルスチルカメラ１は、レンズ鏡筒と撮像素子を有する撮像部２、及び、カメラ本体部３よりなる。
【００２３】
撮像部２は、ズーム動作可能なレンズ鏡筒及びＣＣＤ等の固体撮像素子からなり、レンズ鏡筒を介して結像された被写体像を固体撮像素子で画像信号に変換できる。
【００２４】
カメラ本体部３は、ＬＣＤ（Ｌｉｑｕｉｄ Ｃｒｙｓｔａｌ Ｄｉｓｐｌａｙ；液晶表示素子）からなるＬＣＤ表示部６、ＥＶＦ（Ｅｌｅｃｔｒｏｎｉｃ Ｖｉｅｗ Ｆｉｎｄｅｒ；電子ビューファインダ）７、デジタルスチルカメラ１を図示しないパーソナルコンピュータに接続する外部接続端子を有しており、撮像部２で取り込まれた画像信号に所定の信号処理を施し、ＬＣＤ表示部６やＥＶＦ７への画像表示、不図示のメモリカードなどの記録媒体への画像記録、あるいはパーソナルコンピュータへの画像の転送といった処理を行う。
【００２５】
カメラ本体部３の前面には、上部適所にフラッシュ発光部４が設けられている。また、カメラ本体部３の背面には撮影画像の表示や記録画像の再生表示を行うＬＣＤ表示部６とＥＶＦ７が設けられている。
【００２６】
カメラ本体部３の上面には、シャッタボタン５と、シャッタボタン５の近くに「記録モード」と「再生モード」とを切換設定する、不図示の撮影モード切換スイッチが設けられている。記録モードは、撮影待機状態から露光制御のプロセスを経て撮影にいたる写真撮影を行うモードであり、再生モードは、メモリカードに記録された撮影画像をＬＣＤ表示部６やＥＶＦ７に再生表示するモードである。
【００２７】
カメラ本体部３の背面には、再生画像のコマ送りや、撮影時にズーム操作を行うための再生コマ送りスイッチ／ズームスイッチ９が設けられている。再生コマ送りスイッチ／ズームスイッチ９における再生画像のコマ送りとは、カメラを再生モードに設定しメモリカード１３に記録された画像をコマ番号とともにＬＣＤ表示部６に順次表示する様にしたものである。なお、ＬＣＤ表示部６への画像表示を昇順方向（撮影順の方向）若しくは降順方向（撮影順と逆の方向）に変更指示することも可能である。また、撮影時のズーム操作は、再生コマ送りスイッチ／ズームスイッチ９を操作することにより、ズームレンズである撮像光学系をテレ方向若しくはワイド方向に変倍させる。
【００２８】
さらに、カメラ本体部３の背面には、画像表示を行うためのＬＣＤ表示部６とＥＶＦ７とを選択するＥＶＦ切換スイッチ８が設けられている。
【００２９】
また、カメラ本体部３の底面内部には、デジタルスチルカメラ１の動作用電源としての電池（図示せず）が設けられている。
【００３０】
図２は、デジタルスチルカメラ１に取り付けられる本実施の形態にかかるレンズ鏡筒１００の斜視図であり、図３は、レンズ鏡筒１００を光軸方向物体側から見た正面図であり、図４は、図３のレンズ鏡筒１００をIV-IV線で切断して矢印方向に見た図である。
【００３１】
本実施の形態にかかるレンズ鏡筒１００を、５群構成のズームレンズを例にとって説明する。レンズ鏡筒１００は、物体側から順に第１レンズ群Ｌ１、第２レンズ群Ｌ２、第３レンズ群Ｌ３、第４レンズ群Ｌ４、第５レンズ群Ｌ５からなる光学系を有する。第１レンズ群Ｌ１、第２レンズ群Ｌ２、第３レンズ群Ｌ３、第４レンズ群Ｌ４は互いの群間距離を変化させながら光軸方向に移動してズーミングを行う。また、第４レンズ群Ｌ４は独立して光軸方向に移動してフォーカシングも行う。第５レンズ群Ｌ５は撮像時に光軸方向に移動しないレンズ群である。レンズ群Ｌ１〜Ｌ５を通過した被写体光は、カメラ本体部３に取り付けられた固体撮像素子の撮像面に結像されるようになっている。
【００３２】
図４を参照して、レンズ鏡筒１００の概略構成を説明する。レンズ鏡筒１００は、光軸直交方向外方から、外側固定筒（第１固定筒部材）１１０，直進筒１２０、回転筒１３０、内側固定筒１４０（第２固定筒部材）を同軸に設けており、これら全てが樹脂製である。外側固定筒１１０は、像側端(図４で右端)に光軸直交方向内側に延在した地板部２１０を一体的に形成してなる。カメラ本体部３に固定される地板部２１０は、後述するように、内側固定筒１４０と連結する機能を有する。尚、地板部２１０を含む外側固定筒１１０と、内側固定筒１４０とで、固定筒を構成する。内側固定筒１４０の物体側端には、光軸直交方向内方に延在する環状のフランジ部１４１が一体的に形成されており、内側固定筒１４０の物体側の剛性を高めている。
【００３３】
更に外側固定筒１１０は、光軸方向に延在する一対のガイド溝１１１を内側面に設けている。直進筒１２０の外周には、ガイド溝１１１に係合する突起１２１が設けられており、これにより直進筒１２０は、回転することなく外側固定筒１１０に対して光軸方向に移動可能となっている。直進筒１２０の物体側端(図４で左端)の内周には、第１レンズ群Ｌ１を保持する第１保持枠１１２が取り付けられている。
【００３４】
直進筒１２０の内周には、金属製のピン１５０と、樹脂製のピン１６０が設けられている。光軸中心に回転のみ可能なように保持された回転筒１３０の外周には、ピン１５０、１６０をそれぞれ収容するカム溝１３１が形成されている。第２レンズ群Ｌ２を保持する第２保持枠１１３は、光軸方向に延在する２本のガイド軸１１４(図４では一本のみ図示)の端部に固定されている。ガイド軸１１４は、内側固定筒１４０の孔（不図示）に係合しており、この孔に対して摺動することで第２保持枠１１３とともに光軸方向に移動可能となっている。内側固定筒１４０内に設けられた第３レンズ群Ｌ３は、第３保持枠１１５により保持されており、光軸方向に延在する２本のガイド軸１１６(図４では一本のみ図示)に沿って光軸方向に移動可能となっている。
【００３５】
内側固定筒１４０内に設けられた第４レンズ群Ｌ４は、第４保持枠１１７により保持されており、光軸方向に延在する２本のガイド軸１１６に沿って光軸方向に移動可能となっている。第５レンズ群Ｌ５は、第５保持枠１１８により外側固定筒１１０の地板部２１０に固定されている。なお、第３レンズ群Ｌ３の物体側には、シャッタ機構１１９が配置されている。
【００３６】
次に、内側固定筒１４０と地板部２１０との連結態様について説明する。図５は、外側固定筒１１０と内側固定筒１４０とを地板部２１０を介して連結した固定筒を、光軸直交方向から見た図である。図６は、図５の構成を矢印VI方向から見た図であり、図７は、図５の構成をVII-VII線で切断して矢印方向に見た図である。
【００３７】
図４を参照して、地板部２１０は、外側固定筒１１０の端部から光軸直交方向内側に延在する第１環状部２１１と、第１環状部２１１の内方端から物体側に延在する第１円管部２１２と、第１円管部２１２の物体側端から光軸直交方向内側に延在する第２環状部２１３と、第２環状部２１３の内方端から物体側に延在する第２円管部（保持円筒部）２１４とを有している。第２円管部２１４は、外側固定筒１１０と同軸である。外側固定筒１１０と地板部２１０は、金型による射出成形で一体的に形成されると好ましい。
【００３８】
図６において、地板部２１０の第１環状部２１１には、点線で示すように３つの貫通孔２１５が形成されており、これに対応するようにして、内側固定筒１４０の端部には、図７に示すように３つのねじ孔１４２が形成されている。
【００３９】
更に、図６において、内側固定筒１４０の端部に、それぞれ円筒状である第１ボス１４３と第２ボス１４４が、像側（図６で紙面垂直方向）に突出するように形成されている。一方、地板部２１０の第１環状部２１１には、第１ボス１４３に対応して、円形の第１穴２１６が形成され、第２ボス１４４に対応して、長孔状の第２穴２１７が形成されている。第２穴２１７の長軸の延長線は、第１穴２１６の中心を通るようになっている。
【００４０】
内側固定部１４０を地板部２１０と連結する際には、第２円管部２１４を、内側固定筒１４０の端部内周に嵌合させた上で（図４、図７参照）、第１ボス１４３を第１穴２１６に嵌合させ、第２ボス１４４を第２穴２１７に係合させる。これにより、内側固定部１４０と第２地板部２１０とにある程度の製造誤差が生じていた場合でも、第２ボス１４４と第２穴２１７との冗長性により、組み付けを容易に行える。組み付け後においては、第１ボス１４３と第１穴２１６とが嵌合することで、内側固定筒１４０と、地板部２１０すなわち外側固定筒１１０との光軸直交方向の位置決めが行われ、且つ第２ボス１４４と第２穴２１７とが係合することで、内側固定筒１４０と外側固定筒１１０との相対回転方向の位置決めが行われるので、内側固定筒１４０と外側固定筒１１０とを精度良く同軸に配置できる。その後、図６に示すように、地板部２１０の貫通孔２１５に、小ねじＢＴを挿通し、内側固定筒１４０のねじ孔１４２に螺合させて締結を行うことで、地板部２１０を介して内側固定筒１４０と外側固定筒１１０とが一体化される。
【００４１】
図８は、本実施の形態の効果を説明するための図であり、内側固定部１４０の端部を、地板部２１０の第１穴２１６，第２穴２１７と共に模式的に示しているため、寸法は実際と異なる。レンズ鏡筒１００を装着したデジタルスチルカメラ１を落下させた場合などに衝撃力が発生し、内側固定筒１４０を変形させる方向に大きな力が付与されたものとする。ここで、地板部２１０の第２穴２１７が長孔形状を有するので、第２ボス１４４は第２穴２１７の範囲内で相対移動可能である。更に、地板部２１０は、小ねじＢＴを介して内側固定筒１４０に連結されてはいるが、小ねじＢＴと、地板部２１０の貫通孔２１５との間には本来的に隙間があるので、大きな力が付与された場合、この隙間の分だけ内側固定筒１４０は変形（点線で図示）が可能である。つまり、第２円管部２１４が、内側固定筒１４０の端部内周に嵌合していないと仮定すると、第２ボス１４４が第２穴２１７で制限されるまで、内側固定筒１４０の変形が許容される恐れがあり、これによりレンズ群の保持枠の位置決めや移動を精度良く行えなくなることが懸念される。これに対し本実施の形態によれば、図７に示すように、第２円管部２１４を、内側固定筒１４０の端部内周に嵌合させているので、衝撃を受けた際に内側固定筒１４０の変形を効果的に抑制でき、レンズ群の保持枠の位置決め及び移動を精度良く行うことができる。
【００４２】
図９は、別な実施の形態にかかる図７と同様な断面図である。図９において、地板部２１０の第２円管部（保持筒部）２１４は、その外周に複数の突起２１８を形成している。突起２１８は、原則的には等間隔に形成されているが、内側固定筒１４０のねじ孔１４２を設けたことによる肉厚部１４５との干渉を回避するために、一部が間引かれている。つまり間に肉厚部１４５を挟んで隣接する突起２１８同士の間隔Δが最も大きくなるが、内側固定筒１４０の内径を２Ｒ（半径Ｒ）としたときに、間隔Δは１．４Ｒよりも小さくなっている。この場合、内側固定筒１４０の内周長は２πＲであるから、突起２１８の最小間隔が１．４Ｒ以下である場合、突起２１８は少なくとも５個以上あることとなり、第２円管部２１４の突起２１８を、内側固定筒１４０の端部内周に係合させて組み付けた際に、強い保持剛性を発揮でき、衝撃力を受けた際の内側固定筒１４０の変形を抑制できる。又、地板部２１０の成形精度を考慮すると、第２円管部２１４の全周を内側固定筒１４０に当接させる場合に比べ、突起２１８のみを精度良く形成すれば良いので、製品の精度を確保しやすくなり、生産性が高くコストを抑えることができる。尚、ねじ孔１４２との干渉を回避しつつ、突起２１８を等間隔で設けても良い。又、地板部２１０の第２円管部２１４側に突起２１８を設けたが、その代わりに内側固定筒１４０の端部内径部側に突起を設けて、第２円管部２１４の円筒面外周に当接させるようにしても良い。それ以外の構成は、上述した実施の形態と同様である。
【００４３】
レンズ鏡筒１００の動作について説明する。ズーム動作時には、図２に示すモータＭＴが回転することで、不図示の動力伝達機構を介して回転筒１３０が回転する。すると、回転筒１３０のカム溝１３１が回転移動することで、ピン１５０，１６０が光軸方向及び回転方向に駆動力を受けるが、直進筒１２０はガイド溝１１１に係合する突起１２１により直進のみが可能とされているので、回転筒１３０の回転に応じて光軸方向に移動することとなる。これにより第１レンズ群Ｌ１は、光軸方向の所定位置へと変位する。
【００４４】
更に、第２保持枠１１３と、第３保持枠１１５は、回転筒１３０の内周に設けられたカム溝(不図示)に係合するピン(不図示)をそれぞれ有しており、回転筒１３０の回転に応じて、ガイド軸１１４が摺動する孔１４０ａ，１１６に沿って光軸方向に移動する。これにより第２レンズ群Ｌ２及び第３レンズ群Ｌ３は、光軸方向の所定位置へと変位する。
【００４５】
第４保持枠１１７は、不図示のモータと動力伝達機構を介して光軸方向に変位されるようになっている。回転筒１３０を回転させるためのモータＭＴ及び第４保持枠１１７を駆動するモータは、ズーム動作時にはデジタルスチルカメラ１からの信号に応じて連動するので、第１レンズ群Ｌ１〜第４レンズ群Ｌ４をズームに適した位置へとそれぞれ変位させることができる。第５レンズ群Ｌ５は移動しない。又、第４保持枠１１７を駆動するモータは、デジタルスチルカメラ１からの信号に応じて独立して駆動されるので、フォーカシング時に第４レンズ群Ｌ４のみを光軸方向に変位させることができる。
【００４６】
本発明は、明細書に記載の実施例に限定されるものではなく、他の実施例・変形例を含むことは、本明細書に記載された実施例や思想から本分野の当業者にとって明らかである。明細書の記載及び実施例は、あくまでも例証を目的としており、本発明の範囲は後述するクレームによって示されている。例えば、以上の実施の形態では、外側固定筒１１０を第１円筒部とし、内側固定筒１４０を第２円筒部として説明したが、外側固定筒１１０を第２円筒部とし、内側固定筒１４０を第１円筒部としても良い。
【符号の説明】
【００４７】
１            デジタルスチルカメラ
２            撮像部
３            カメラ本体部
４            フラッシュ発光部
５            シャッタボタン
６            表示部
８            切換スイッチ
９            ズームスイッチ
１３            メモリカード
１００            レンズ鏡筒
１１０            外側固定筒
１１１            ガイド溝
１１２            第１保持枠
１１３            第２保持枠
１１４            ガイド軸
１１５            第３保持枠
１１６            ガイド軸
１１７            第４保持枠
１１８            第５保持枠
１２０            直進筒
１２１            突起
１３０            回転筒
１３１            カム溝
１４０            内側固定筒
１４２            ねじ孔
１４３            第１ボス
１４４            第２ボス
１４５            肉厚部
１５０            金属製のピン
１６０            樹脂製のピン
２１０            地板部
２１１            第１環状部
２１２            第１円管部
２１３            第２環状部
２１４            第２円管部
２１５            貫通孔
２１６            第１穴
２１７            第２穴
２１８            突起
Ｌ１〜Ｌ５        レンズ群
ＭＴ            モータ
【図１】
0006493785.tif 000002
【図２】
0006493785.tif 000003
【図３】
0006493785.tif 000004
【図４】
0006493785.tif 000005
【図５】
0006493785.tif 000006
【図６】
0006493785.tif 000007
【図７】
0006493785.tif 000008
【図８】
0006493785.tif 000009
【図９】
0006493785.tif 000010